(57)【要約】【課題】配管抵抗を低減して、常時必要な水量や自吸機能を有するポンプおよびそれを備えた液体供給装置を提供する。【解決手段】液体を吸排する羽根車を内蔵したケーシングと、羽根車を駆動する電動機とを有し、前記ケーシングの開口部に配置され下側に液体が流入する吸込口９および上側に液体を排出する吐出口１０が接続されたケーシングカバー４を備え、前記吸込口９から流入した液体をケーシングカバー４内の上部まで導入するためにケーシングカバー４内の底面からいずれか一方の側面に所定の幅を持った流入通路４ｄを設けるようにした。【選択図】図２
2006233884.tif 000002
【特許請求の範囲】
【請求項１】
液体を吸排する羽根車を内蔵したケーシングと、羽根車を駆動する電動機とを有し、前記ケーシングの開口部に配置され下側に液体が流入する吸込口および上側に液体を排出する吐出口が接続されたケーシングカバーを備え、前記吸込口から流入した液体をケーシングカバー内の上部まで導入するためにケーシングカバー内の底面からいずれか一方の側面に所定の幅を持った流入通路を設けたことを特徴とするポンプ。
【請求項２】
前記流入通路は、流入通路の最上部が羽根車の回転先端部より上方に配置されたことを特徴とする請求項１記載のポンプ。
【請求項３】
請求項１または２記載のポンプを備えたことを特徴とする液体供給装置。
【発明の詳細な説明】
【技術分野】
【０００１】
電動機により駆動され、液体を吸入して吐出するポンプおよびそれを備えた液体供給装置に関する。
【背景技術】
【０００２】
ポンプは様々な用途に広く使用されているが、一般に自吸機能を有するポンプにおいては、風呂等の循環用として利用されていることが多い。
【０００３】
図４の従来のポンプの断面図に示すように電動機１があり、その片側にはケーシング３が取付けられていて、電動機１の回転シャフト２をケーシング３内の羽根車５に接続している。
【０００４】
ケーシング３の開口部には仕切板６及びパッキン７が配置されており、前記仕切板６及びパッキン７を介しケーシングカバー４の開口部と嵌合されることでシールされて羽根車室３ａを形成している。
【０００５】
図６の従来のポンプのケーシング仕切板平面図に示すように、仕切板６には所定の位置に水流通路用の流通孔６ａや環流孔６ｂまたは中央流通孔６ｃ、更に最下端には排水孔６ｄが形成されていて、パッキン７はこれら流通孔６ａ、環流孔６ｂ、中央流通孔６ｃおよび排水孔６ｄの周囲から水漏れを防止するように構成されている。
【０００６】
また図４、図５の従来のポンプのケーシング羽根車平面図に示すように、ケーシング３の羽根車室３ａには羽根車５が収容されている。
【０００７】
羽根車室３ａの中央部には回転シャフト２を突出させており、先端部には羽根車５がメカニカルシール８を挟み込んだ状態で装着されることで、電動機１と羽根車室３ａをシールしている。
【０００８】
ケーシング３は羽根車室３ａを有し、この羽根車室３ａから送出タンク部３ｃへ水を流出するための吐出通路３ｂを設けている。
【０００９】
図７の従来のポンプのケーシングカバー開口部から見た平面図に示すようにケーシングカバー４内には吸込口９と連通する吸込通路４ａと水タンク部４ｃが形成されていて、水タンク部４ｃの上部には吐出口１０と連通する気水分離室４ｂが配置されている。
【００１０】
吸込通路４ａは仕切板６の中央流通孔６ｃによってケーシング３の羽根車室３ａと連通することとなる。
【００１１】
次に前記ポンプを備えた液体供給装置の一例としての浴槽の給湯装置において、図８の従来のポンプを備えた液体供給装置の概略構成図に示すようにポンプ１４と熱交換機１５を内蔵した給湯装置１１があり、その給湯装置１１には吸込配管１２および吐出配管１３が接続されている。
【００１２】
吸込配管１２および吐出配管１３は各々浴槽１７に接続されており、浴槽１７には浴室内蛇口１６が取りつけられていて、浴室内蛇口１６より浴槽１７に供給された水が循環水１８として浴槽１７に貯留されている。
【００１３】
以上の構成において、従来のポンプおよび同ポンプを備えた液体供給装置の動作を図４から図８を用いて説明する。
【００１４】
まず予めケーシングカバー４内に呼水を注水する。注水された水は羽根車室３ａ内に浸入することになる。また浴槽１７内には浴室内蛇口１６より循環水１８を注水する。つぎに電動機１を駆動すると羽根車室３ａ内の羽根車５が回転する。
【００１５】
羽根車５が回転すると、羽根車室３ａ内の水が羽根車５によってかき回されることとなり、この時水中に気泡が混入することとなる。
【００１６】
空気が混入された水は矢印Ａに示すように吐出通路３ｂをを通って送出タンク部３ｃに入り、更に仕切板６の流通孔６ａを通ってケーシングカバー４の水タンク部４ｃに流入する。
【００１７】
ケーシングカバー４内の水タンク部４ｃの上部には気水分離室４ｂが設けられており、仕切板６の流通孔６ａから流出した水はこの気水分離室４ｂにて空気と水に分離され、その空気は矢印Ｂに示すように吐出口１０から熱交換機１５を経て吐出配管１３を通って浴槽１７内へ吐出される。
【００１８】
一方残りの水は矢印Ｃに示すように水タンク部４ｃから仕切板６の環流孔６ｂを通って再びケーシング３の羽根車室３ａ内に戻る。すなわち水は羽根車室３ａと水タンク部４ｃとの間を循環し空気のみが外部へ流出する。
【００１９】
そしてこの状態が続くと羽根車室３ａの中央部や吸込通路４ａにおいては圧力が徐々に低下して行く。そして吸込通路４ａ内の圧力と外部との圧力差によって浴槽１７内の循環水１８が吸上げられることになる。
【００２０】
循環水１８が吸込配管１２を通って吸込口９から吸込通路４ａへ流入すると本格的な給水状態へ移行し、循環運転することとなる。吸いこまれた循環水１８は熱交換器１５により昇温され吐出配管１３を通って浴槽１７に戻り追焚きが行われる。
【特許文献１】実開平０３−８３３９６号公報
【発明の開示】
【発明が解決しようとする課題】
【００２１】
しかしながら前記従来の技術の（特許文献１）に記載のポンプでは、そのポンプを給湯装置に組み込んだときに、給湯装置を壁掛け等により浴槽より高い位置に設置した場合、風呂循環のための往きまたは戻りの接続口や一次給水口等、全ての接続口は給湯器の底面に設置されることになる。
【００２２】
このためポンプの上部に配設された吸込口は一旦上方へ立ち上げたあと、給湯器下面に向けて配管を配設しなければならず、このため配管の抵抗が大きくなってしまい、十分な水量や自吸機能が得られないことがあった。
【００２３】
本発明はこのような従来の課題を解決するものであり、常時必要な水量や自吸機能を有するポンプおよびそれを備えた液体供給装置を提供することを目的とする。
【課題を解決するための手段】
【００２４】
本発明は上記目的を達成するために、液体を吸排する羽根車を内蔵したケーシングと、羽根車を駆動する電動機とを有し、前記ケーシングの開口部に配置され下側に液体が流入する吸込口および上側に液体を排出する吐出口が接続されたケーシングカバーを備え、前記吸込口から流入した液体をケーシングカバー内の上部まで導入するためにケーシングカバー内の底面からいずれか一方の側面に所定の幅を持った流入通路を設けたことを特徴としている。
【００２５】
この構成により、ポンプの吸込口をケーシングカバーの最下端に配設し、最下端に配設された吸込口より吸上げられた液体をケーシングカバー側面に沿って上方に導入することで、配管抵抗を低減できるという作用が達成できる。
【発明の効果】
【００２６】
本発明は、常時必要な水量や自吸機能を有するポンプおよびそれを備えた液体供給装置を提供することができるという効果を奏する。
【発明を実施するための最良の形態】
【００２７】
本発明の実施の形態は、液体を吸排する羽根車を内蔵したケーシングと、羽根車を駆動する電動機とを有し、前記ケーシングの開口部に配置され下側に液体が流入する吸込口および上側に液体を排出する吐出口が接続されたケーシングカバーを備え、前記吸込口から流入した液体をケーシングカバー内の上部まで導入するためにケーシングカバー内の底面からいずれか一方の側面に所定の幅を持った流入通路を設けるようにしたものである。
【００２８】
これにより、ポンプの吸込口をケーシングカバーの最下端に配設し、最下端に配設された吸込口より吸上げられた液体をケーシングカバー側面に沿って上方に導入することで配管抵抗を低減し、常時必要な水量や自吸機能を有するポンプを提供することができる。
【００２９】
また前記流入通路は、流入通路の最上部が羽根車の回転先端部より上方に配置してもよい。
【００３０】
これにより、ポンプが停止したときにケーシングやケーシングカバー内に残水を確保することができるので、ポンプの自吸機能をより向上させることができる。
【００３１】
そして上記ポンプを給水装置等の液体供給装置に組み込むようにすれば、液体供給装置の使い勝手を大いに高めることができる。
【実施例】
【００３２】
以下、本発明の実施例について図面を用いて説明する。
【００３３】
（実施例１）
図１は実施例１、２に示すポンプの断面図、図２は実施例１、２に示すポンプのケーシングカバーの開口部から見た平面図、図３は実施例１、２に示すポンプを備えた液体供給装置の概略構成図で、図１〜図３に示すように電動機１があり、その片側にはケーシング３が取付けられていて、電動機１の回転シャフト２をケーシング３内の羽根車５に接続している。羽根車５の先端中心部に回転先端部５ａを有する。
【００３４】
ケーシング３の開口部には仕切板６及びパッキン７が配置されており、前記仕切板６及びパッキン７を介しケーシングカバー４の開口部と嵌合されることでシールされて羽根車室３ａを形成している。
【００３５】
仕切板６には所定の位置に水流通路用の流通孔６ａや環流孔６ｂまたは中央流通孔６ｃ、更に最下端には排水孔６ｄが形成されていて、パッキン７はこれら流通孔６ａ、環流孔６ｂ、中央流通孔６ｃおよび排水孔６ｄの周囲から水漏れを防止するように構成されている。
【００３６】
また、ケーシング３は羽根車室３ａを有しこの羽根車室３ａには羽根車５が収容されている。
【００３７】
羽根車室３ａの中央部には回転シャフト２を突出させており、先端部には羽根車５がメカニカルシール８を挟み込んだ状態で装着されることで、電動機１と羽根車室３ａをシールしている。
【００３８】
ケーシングカバー４内には浴槽１７より吸上げるための吸込口９をケーシングカバー４の最下端に配設し、この吸込口９から流入した液体をケーシングカバー４内の上部まで導入するためにケーシングカバー４内の底面からいずれか一方の側面に所定の幅を持った流入通路４ｄと吸込通路４ａ、更に水タンク部４ｃが形成されていて、水タンク部４ｃの上部には吐出口１０と連通する気水分離室４ｂが配置されている。
【００３９】
吸込通路４ａは仕切板６の中央流通孔６ｃによってケーシング３の羽根車室３ａと連通することとなる。
【００４０】
次に前記ポンプを備えた液体供給装置の一例としての浴槽の給湯装置において、図３に示すようにポンプ１４と熱交換機１５を内蔵した給湯装置１１があり、その給湯装置１１には吸込配管１２および吐出配管１３が接続されている。
【００４１】
吸込配管１２および吐出配管１３は各々浴槽１７に接続されており、浴槽１７には浴室内蛇口１６が取りつけられていて、浴室内蛇口１６より浴槽１７に供給された水が循環水１８として浴槽１７に貯留されている。
【００４２】
以上の構成において、本発明のポンプおよび同ポンプを備えた液体供給装置の動作を図１〜図３を用いて説明する。
【００４３】
まず予めケーシングカバー４内に呼水を注水する。注水された水は羽根車室３ａ内に浸入することになる。また浴槽１７内には浴室内蛇口１６より循環水１８を注水する。つぎに電動機１を駆動すると羽根車室３ａ内の羽根車５が回転する。
【００４４】
羽根車５が回転すると、羽根車室３ａ内の水が羽根車５によってかき回されることとなり、この時水中に気泡が混入することとなる。
【００４５】
空気が混入された水は送出タンク部３ｃに入り、更に仕切板６の流通孔６ａを通ってケーシングカバー４の水タンク部４ｃに流入する。
【００４６】
ケーシングカバー４内の水タンク部４ｃの上部には気水分離室４ｂが設けられており、仕切板６の流通孔６ａから流出した水はこの気水分離室４ｂにて空気と水に分離され、その空気は矢印Ｂに示すように吐出口１０から熱交換機１５を経て吐出配管１３を通って浴槽１７内へ吐出される。
【００４７】
一方残りの水は矢印Ｃに示すように水タンク部４ｃから仕切板６の環流孔６ｂを通って再びケーシング３の羽根車室３ａ内に戻る。すなわち水は羽根車室３ａと水タンク部４ｃとの間を循環し空気のみが外部へ流出する。
【００４８】
そしてこの状態が続くと羽根車室３ａの中央部や吸込通路４ａにおいては圧力が徐々に低下して行く。そして吸込通路４ａ内の圧力と外部との圧力差によって浴槽１７内の循環水１８が吸上げられることになる。
【００４９】
循環水１８が吸込配管１２を通って吸込口９から流入通路４ｄを経て吸込通路４ａへ流入すると本格的な給水状態へ移行し、循環運転することとなる。吸いこまれた循環水１８は熱交換器１５により昇温され吐出配管１３を通って浴槽１７に戻り追焚きが行われる。
【００５０】
以上のように、浴槽１７より吸上げるための吸込口９をケーシングカバー４の最下端に配設し、給湯器下面より配管を配設することができ、配管抵抗が小さくなり、水量、自吸性能の効率がアップすると共に、配管上の部品点数を低減するという作用を行う。
【００５１】
（実施例２）
図１〜図３に示すように電動機１があり、その片側にはケーシング３が取付けられていて、電動機１の回転シャフト２をケーシング３内の羽根車５に接続している。羽根車５の先端中心部に回転先端部５ａを有する。
【００５２】
ケーシング３の開口部には仕切板６及びパッキン７が配置されており、前記仕切板６及びパッキン７を介しケーシングカバー４の開口部と嵌合されることでシールされて羽根車室３ａを形成している。
【００５３】
仕切板６には所定の位置に水流通路用の流通孔６ａや環流孔６ｂまたは中央流通孔６ｃ、更に最下端には排水孔６ｄが形成されていて、パッキン７はこれら流通孔６ａ、環流孔６ｂ、中央流通孔６ｃおよび排水孔６ｄの周囲から水漏れを防止するように構成されている。
【００５４】
また、ケーシング３は羽根車室３ａを有しこの羽根車室３ａには羽根車５が収容されている。
【００５５】
羽根車室３ａの中央部には回転シャフト２を突出させており、先端部には羽根車５がメカニカルシール８を挟み込んだ状態で装着されることで、電動機１と羽根車室３ａをシールしている。
【００５６】
ケーシングカバー４内には浴槽１７より吸上げるための吸込口９をケーシングカバー４の最下端に配設し、この吸込口９から流入した液体をケーシングカバー４内の上部まで導入するためにケーシングカバー４内の底面からいずれか一方の側面に所定の幅を持った流入通路４ｄと吸込通路４ａ、更に水タンク部４ｃが形成されていて、水タンク部４ｃの上部には吐出口１０と連通する気水分離室４ｂが配置されている。
【００５７】
尚、前記流入通路４ｄは、流入通路４ｄの最上部が羽根車５の回転先端部５ａより上方に配置してもよい。
【００５８】
吸込通路４ａは仕切板６の中央流通孔６ｃによってケーシング３の羽根車室３ａと連通することとなる。
【００５９】
次に前記ポンプを備えた液体供給装置の一例としての浴槽の給湯装置において、図３に示すようにポンプ１４と熱交換機１５を内蔵した給湯装置１１があり、その給湯装置１１には吸込配管１２および吐出配管１３が接続されている。
【００６０】
吸込配管１２および吐出配管１３は各々浴槽１７に接続されており、浴槽１７には浴室内蛇口１６が取りつけられていて、浴室内蛇口１６より浴槽１７に供給された水が循環水１８として浴槽１７に貯留されている。
【００６１】
以上の構成において、本発明のポンプおよび同ポンプを備えた液体供給装置の動作を図１〜図３を用いて説明する。
【００６２】
まず予めケーシングカバー４内に呼水を注水する。注水された水は羽根車室３ａ内に浸入することになる。また浴槽１７内には浴室内蛇口１６より循環水１８を注水する。つぎに電動機１を駆動すると羽根車室３ａ内の羽根車５が回転する。
【００６３】
羽根車５が回転すると、羽根車室３ａ内の水が羽根車５によってかき回されることとなり、この時水中に気泡が混入することとなる。
【００６４】
空気が混入された水は送出タンク部３ｃに入り、更に仕切板６の流通孔６ａを通ってケーシングカバー４の水タンク部４ｃに流入する。
【００６５】
ケーシングカバー４内の水タンク部４ｃの上部には気水分離室４ｂが設けられており、仕切板６の流通孔６ａから流出した水はこの気水分離室４ｂにて空気と水に分離され、その空気は矢印Ｂに示すように吐出口１０から熱交換機１５を経て吐出配管１３を通って浴槽１７内へ吐出される。
【００６６】
一方残りの水は矢印Ｃに示すように水タンク部４ｃから仕切板６の環流孔６ｂを通って再びケーシング３の羽根車室３ａ内に戻る。すなわち水は羽根車室３ａと水タンク部４ｃとの間を循環し空気のみが外部へ流出する。
【００６７】
そしてこの状態が続くと羽根車室３ａの中央部や吸込通路４ａにおいては圧力が徐々に低下して行く。そして吸込通路４ａ内の圧力と外部との圧力差によって浴槽１７内の循環水１８が吸上げられることになる。
【００６８】
循環水１８が吸込配管１２を通って吸込口９から流入通路４ｄを経て羽根車５の回転先端部５ａより上方から吸込通路４ａへ流入すると本格的な給水状態へ移行し、循環運転することとなる。吸いこまれた循環水１８は熱交換器１５により昇温され吐出配管１３を通って浴槽１７に戻り追焚きが行われる。
【００６９】
以上のように、浴槽１７より吸上げるための吸込口９をケーシングカバー４の最下端に配設し、吸込口９より吸上げられた循環水１８は、ケーシングカバー４の側面に形成された流入通路４ｄに沿って、上方に流入する構造とすることで、吸込配管１２、吐出配管１３より水落ちしてもケーシングカバー４内に残水が確保でき自吸運転に際して有用である。
【産業上の利用可能性】
【００７０】
本発明のポンプは、例えば燃料電池装置やヒートポンプ装置等に使用される様々なポンプへの応用が期待できる。
【図面の簡単な説明】
【００７１】
【図１】実施例１、２に示すポンプの断面図
【図２】実施例１、２に示すポンプのケーシングカバーの開口部から見た平面図
【図３】実施例１、２に示すポンプを備えた液体供給装置の概略構成図
【図４】従来のポンプの断面図
【図５】従来のポンプのケーシング−羽根車平面図
【図６】従来のポンプのケーシング−仕切板平面図
【図７】従来のポンプのケーシングカバー開口部から見た平面図
【図８】従来のポンプを備えた液体供給装置の概略構成図
【符号の説明】
【００７２】
１    電動機
２    回転シャフト
３    ケーシング
３ａ    羽根車室
３ｂ    吐出通路
３ｃ    送出タンク部
４    ケーシングカバー
４ａ    吸込通路
４ｂ    気水分離室
４ｃ    水タンク部
４ｄ    流入通路
５    羽根車
５ａ    回転先端部
６    仕切板
６ａ    流通孔
６ｂ    環流孔
６ｃ    中央流通孔
６ｄ    排水孔
７    パッキン
８    メカニカルシール
９    吸込口
１０    吐出口
１１    給湯装置
１２    吸込配管
１３    吐出配管
１４    ポンプ
１５    熱交換器
１６    浴室内蛇口
１７    浴槽
１８    循環水
【図１】
2006233884.tif 000003
【図２】
2006233884.tif 000004
【図３】
2006233884.tif 000005
【図４】
2006233884.tif 000006
【図５】
2006233884.tif 000007
【図６】
2006233884.tif 000008
【図７】
2006233884.tif 000009
【図８】
2006233884.tif 000010